(57)【要約】      （修正有）【課題】腕時計バンドを容易に交換可能であるような腕時計バンドに電気的コネクターを備える腕時計バンド式腕時計を提供する。【解決手段】ケース１と、及びケース１に取り付けられる腕時計バンドリンクとを有する携行可能な電子デバイスであって、ケース１には、少なくとも１対のホーン６があり、ホーン６の間に電気的メスコネクター２がある。腕時計バンドリンクは、リンクの端にあり腕時計バンドリンクがケースにマウントされているときに電気的メスコネクター２と電気接続をするように構成している電気的オスコネクター５を有している。各ホーン６には、対向しているリンクのハウジングに収容されるように意図されたばねバー６０がある。ばねバー６０は、順に、ガイド溝内にて係合し、次に、リンクに形成されたロック用溝にて係合するようになる。電子デバイスは、ばねバー６０を収縮位置へと動かすために手動のアクチュエートメンバーを用いる。【選択図】図１
2019023628.tif 000002
【特許請求の範囲】
【請求項１】
ケース（１）と、及び前記ケース（１）に取り付けられる腕時計バンドリンク（４）とを有する携行可能な電子デバイスであって、
前記ケース（１）には、少なくとも１対のホーン（６）があり、このホーン（６）の間に電気的メスコネクター（２）があり、
前記腕時計バンドリンク（４）は、前記腕時計バンドリンク（４）の端にあり前記腕時計バンドリンクが前記ケースにマウントされているときに前記電気的メスコネクター（２）と電気接続をするように構成している電気的オスコネクター（５）を有しており、
各ホーン（６）には、対向している前記腕時計バンドリンク（４）のハウジングに収容されるように意図されたばねバー（６０）があり、
前記ばねバー（６０）は、係合位置と収縮位置との２つの位置を占めることができ、
前記係合位置においては、前記ばねバー（６０）が、前記ホーン（６）の外側にまで伸びており、順に、ガイド溝（４４）内にて係合し、次に、前記腕時計バンドリンク（４）に形成されたロック用溝（４５）にて係合するようになり、
当該電子デバイスは、前記ばねバー（６０）を前記収縮位置へと動かすために手動のアクチュエートメンバー（７）を用いる
ことを特徴とする電子デバイス。
【請求項２】
前記ガイド溝（４４）と前記ロック用溝（４５）は、パーティション（４６）によって分離される
ことを特徴とする請求項１に記載の電子デバイス。
【請求項３】
前記ガイド溝（４４）は、前記ばねバーを漸次的にロードするための傾斜路（４４０）がある水平方向の溝である
ことを特徴とする請求項１又は２に記載の電子デバイス。
【請求項４】
前記ロック用溝（４５）は、鉛直方向の溝である
ことを特徴とする請求項３に記載の電子デバイス。
【請求項５】
前記ばねバー（６０）の端は、丸まっている
ことを特徴とする請求項１〜４のいずれかに記載の電子デバイス。
【請求項６】
前記アクチュエートメンバー（７）には、前記腕時計バンドの下側に形成されたスロット溝（４００）を通って前記ロック用溝（４５）へと導かれる２つのブレード（７０）があり、
各ブレード（７０）は、その端にて、前記ばねバー（６０）の端と連係するように構成している傾斜面（７１）を有する
ことを特徴とする請求項１〜５のいずれかに記載の電子デバイス。
【請求項７】
前記電気的オスコネクター（５）は、前記腕時計バンドの内側面の側にて前記腕時計バンドをミドル部（３）に固定する高さレベルにて前記腕時計バンドにて形成されたコンジット（４２）内に配置される
ことを特徴とする請求項１〜７のいずれかに記載の電子デバイス。
【請求項８】
前記コンジット（４２）には、その周のすべて又は一部にわたってシール（４３）があり、
前記シール（４３）は、ミドル部（３）に対向するように載せられるように構成している
ことを特徴とする請求項７に記載の電子デバイス。
【請求項９】
前記腕時計バンドリンクには、取り外すことができるようにマウントされた挿入部（４０）があり、この挿入部（４０）は、前記ガイド溝（４４）と、前記ロック用溝（４５）と、前記スロット溝（４００）と、及び前記コンジット（４２）とによって受けられる
ことを特徴とする請求項１〜８のいずれかに記載の電子デバイス。
【請求項１０】
前記腕時計バンドリンクと前記挿入部は、プラスチック材料で作られている
ことを特徴とする請求項１〜９のいずれかに記載の電子デバイス。
【発明の詳細な説明】
【技術分野】
【０００１】
本発明は、電気的コネクタを有する腕時計ケースに腕時計バンドを接続する手段を有する携行可能な電子デバイスに関する。本発明は、より詳細には、取外し可能な手法で腕時計ケースと腕時計バンドの間で信頼性がありシールされた電気接続が確立されることが可能になる手段を有するこの種の携行可能なデバイスに関する。
【背景技術】
【０００２】
ケース内に挿入されるコネクターがある腕時計バンドによってユーザーの手首に保持されるような従来技術の腕時計が知られている。この腕時計バンドは、ゴム、プラスチック又は金属で作ることができ、ねじのような固定手段を介してホーンの間にて腕時計のケースに接続することができる。
【０００３】
また、データ転送を行うためのコネクター要素を腕時計に設けることができる。このコネクター要素は、コンピューターに接続するためのＵＳＢタイプのコネクターの形態であることができる。この種のオスタイプのＵＳＢコネクターは、米国特許ＵＳ７００６４０８に記載されているような腕時計バンドのブランチの閉じ端に位置していることができる。したがって、コネクターを保護したり、隠したり、腕時計バンドを交換したりすることは難しい。
【０００４】
また、欧州特許ＥＰ１４１６８５２によって、第１の電気的モジュールが中に配置されたケースと、及びこのケースに取り付けられた腕時計バンドとを有する携行可能なデバイスが知られている。ケースに形成された開口を介して第１及び第２の電気的モジュールの間の電気接続を提供する電気接続手段とともに、腕時計バンドが第２の電気的モジュールと関連づけられている。この種の形態においては、腕時計バンドが腕時計ケースにねじでクランプされており、腕時計バンドの扱いを難しくしてしまう。
【発明の概要】
【発明が解決しようとする課題】
【０００５】
本発明の特定の目的は、これらの既知技術の様々な課題を軽減することである。
【０００６】
本発明の目的は、より詳細には、設計が単純でありコネクターにて良好なシールを確実にしつつ腕時計バンドを容易に交換可能であるような、腕時計の内部の電子回路に接続するために腕時計バンドに電気的コネクターを備える腕時計バンド式腕時計を提供することである。
【課題を解決するための手段】
【０００７】
これらの目的は、以下にて明らかになる他の目的とともに、ケース及びケースに取り付けられた腕時計バンドを有する携行可能な電子デバイスのおかげで、本発明にしたがって達成される。前記ケースには、少なくとも１対のホーンがあり、このホーンの間に電気的メスコネクターがあり、前記腕時計バンドリンクは、前記腕時計バンドリンクの端にあり前記腕時計バンドリンクが前記ケースにマウントされているときに前記電気的メスコネクターと電気接続をするように構成している電気的オスコネクターを有している。
【０００８】
本発明によると、各ホーンには、対向している前記腕時計バンドリンクのハウジングに収容されるように意図されたばねバーがあり、前記ばねバーは、係合位置と収縮位置との２つの位置を占めることができ、前記係合位置においては、前記ばねバーが、前記ホーンの外側にまで伸びており、順に、ガイド溝内にて係合し、次に、前記腕時計バンドリンクに形成されたロック用溝にて係合するようになり、当該電子デバイスは、前記ばねバーを前記収縮位置へと動かすために手動のアクチュエートメンバーを用いる。
【０００９】
本発明の他の有利な変種によると、以下の特徴を有する。
−  前記ガイド溝と前記ロック用溝は、パーティションによって分離される。
−  前記ガイド溝は、前記ばねバーを漸次的にロードするための傾斜路がある水平方向の溝である。
−  前記ロック用溝は、鉛直方向の溝である。
−  前記ばねバーの端は、丸まっている。
−  前記アクチュエートメンバーには、前記腕時計バンドの下側に形成されたスロット溝を通って前記ロック用溝へと導かれる２つのブレードがあり、各ブレードは、その端にて、前記ばねバーの丸まっている端と連係するように構成している傾斜面を有する。
−  前記オスコネクターには、その外側の周部におけるその周囲のすべて又は一部にわたってシールがあり、このシールは、ミドル部に対して載るように構成している。
−  前記オスコネクターは、前記腕時計バンドの内側面の側にて前記腕時計バンドをミドル部に固定する高さレベルにて前記腕時計バンドにて形成されたハウジング内に配置される。
−  前記腕時計バンドリンクと前記挿入部は、プラスチック材料で作られている。
【００１０】
添付の図面を参照しながら説明のために例として与えられる本発明の特定の実施形態（これに限定されない）についての以下の説明を読むことで、本発明の他の特徴及び利点についても明白になるであろう。
【図面の簡単な説明】
【００１１】
【図１】本発明に係る携行可能な電子デバイスの分解斜視図である。
【図２】本発明に係る腕時計バンドの斜視図である。
【図３】図２の腕時計バンドについての線Ａ−Ａに沿った断面の図である。
【図４】図３の線Ｂ−Ｂに沿った断面の図である。
【図５】腕時計バンドを取り外すためにアクチュエートメンバーが挿入されている図２の線Ａ−Ａに沿った断面の図である。
【発明を実施するための形態】
【００１２】
以下、図１〜５を参照しながら本発明に係る携行可能な電子デバイスについて説明する。
【００１３】
図１には、携行可能な電子デバイスの分解斜視図を示している。この携行可能な電子デバイスは、ここでは電子式又は電子機械式の腕時計である。この腕時計には、ミドル部３のホーン６の間にある開口を介して腕時計のミドル部３に配置された電気的メスコネクター２がある。
【００１４】
腕時計バンドは、折り曲げ式のバックルや伝統的なクラスプクロージャーを備える２つのリンク４によって構成することができる。図１に示す例において、腕時計バンドのリンクは、プラスチック材料の成型によって得られる。図に示すように、少なくとも１つのリンク４には、その端において、ミドル部３と支持係合するように意図された挿入部４０がある。この挿入部４０もプラスチック材料の成型によって得られる。この挿入部４０は、取り外すことができるようにリンク４に固定され、又はオーバーモールドされて、電気的メスコネクター２と連係するように構成している電気的オスコネクター５の設置を促進させる。
【００１５】
挿入部４０は、ケース１のミドル部３に固定され、外壁４１があるように構成している。この外壁４１は、ケースのミドル部３の外表面３０に対向するように支持されており、挿入部４０が回転することができないように挿入部４０を固定して保持する。壁４１の少なくとも一部は、好ましくは、ミドル部の外表面３０の一部に対向するように一体化されて支持される。外表面３０は、平坦であることができ、また、筒部分を定めることができる。外壁４１は、ミドル部３の外表面３０と相補的な形を有しており、これによって、完全に対向するように外表面３０に支持される。
【００１６】
リンク４の挿入部４０は、電気的オスコネクター５を有する。このオスコネクター５は、外壁４１のレベルにある突出コンジット４２を介して挿入部４０を出て、これによって、コンジット４２内へのコネクターの良好な取り付けを確実にすることができる。この電気的オスコネクター５は、腕時計バンドリンク４をミドル部３にアセンブルするときにミドル部３の電気的メスコネクター２内に接続されるように構成している。
【００１７】
コンジット４２には、その周部に、このコンジット４２の周囲のすべて又は一部にわたって延在しているシール４３があり、このシール４３は、ミドル部３に載るように構成している。このために、メスコネクター２の寸法は、好ましくは、コンジット４２よりもわずかに大きいように選ばれる。したがって、シール４３は、メスソケット内に摩擦によって収容され、オスコネクター５とメスコネクター２の間がシールされる。シール４２は、図４の断面図に示してあるような一重又は二重のシールであることができる。
【００１８】
本発明によると、ホーン６にはそれぞれ、ばね６２のような弾性戻し手段を受ける本体６１によって形成されるばねバー６０がある。この弾性戻し手段は、本体６１内にて動くことができるようにマウントされたピボット６３に作用する。ピボット６３は、本体６１の長手軸に沿って動くことができ、圧縮位置と安静位置の間を動くことができる。この安静位置においては、ピボット６３は、腕時計バンドリンクにて形成されるハウジング内に載せられるように構成している。
【００１９】
これらのピボット６３は、固定手段を形成しており、ホーンの側壁のレベルにて突き出ている。これによって、リンクが腕時計ケース１に固定されているときに、腕時計バンドリンクの溝と連係することができる。
【００２０】
図２に示すように、各ピボット６３には、腕時計バンドリンク内にて形成された溝内における並進運動における良好なガイドを与える丸まった端がある。
【００２１】
ピボット６３は、プラスチック材料、セラミックス、複合材料、又は金属又は金属合金で作ることができる。
【００２２】
これらのピボット６３は、腕時計バンドリンク、より正確には、挿入部４０に形成された溝、と連係するように構成している。このために、挿入部４０には、挿入部４０に形成されるガイド溝４４とロック用溝４５がある。これらの溝は、特に、図１及び２にて示してある。
【００２３】
図からわかるように、ガイド溝４４は、ばねバーを漸進的にロードするための傾斜路４４０がある水平方向の溝である。ガイド溝４４は、ミドル部３に接している挿入部４０の面上に、そして、挿入部４０の側面上に、導く。この挿入部４０の側面は、ばねバーとミドル部のエッジの間の距離よりも小さい長さにわたって挿入部４０のエッジに沿って延在している。
【００２４】
ロック用溝４５は、挿入部４０の下側面、すなわち、着用者の手首に接する面、そして、腕時計バンドリンクの挿入部４０の側面、に導く鉛直方向の溝である。
【００２５】
また、ロック用溝４５の代わりにロック用溝４５の箇所に、オリフィスを形成することも想像することができる。この場合、オリフィスの寸法は、ピボット６３を受けるためにピボット６３の寸法よりもわずかに大きい。
【００２６】
ガイド溝４４とロック用溝４５は、好ましいことに、パーティション４６によって分離されて、傾斜路４４０のおかげでばねバーのピボット６３がパーティション４６まで漸次的に圧縮され、その後に、パーティション４６を通過して再び拡張され、このピボット６３がロック用溝４５内に入って留まる。
【００２７】
ガイド溝４４とロック用溝４５は、腕時計バンドリンクの挿入部において直接機械加工することができ、また、挿入部４０の成型時に形成することができる。
【００２８】
また、腕時計バンドリンクの挿入部４０には、その下側面に、アクチュエートメンバー７を受けるように構成している２つのスロット溝４００があり、これによって、ピボット６３を見ることができ、これらのスロット溝４００を通してアクチュエートメンバー７にアクセス可能である。
【００２９】
図５に示すように、アクチュエートメンバー７には、クロスメンバーによって接続される２つのブレード７０がある。各ブレード７０には、その端にて、ピボット６３の端と連係する傾斜面７１がある。
【００３０】
したがって、アクチュエートメンバー７によってピボット６３のそれぞれに圧力を同時にかけることによって、これらのピボット６３は、腕時計バンドリンク４のマウント解除が可能になるように圧縮位置に戻る。
【００３１】
このアクチュエートメンバー７は、好ましいことに、着用者がいつでも腕時計バンドリンクを分離することができるように腕時計バンドクラスプに取り付けられる。
【００３２】
本発明の変種の１つによると、ホーン６のロック用溝４５とバー６０は、この溝４５がこのバー６０に対してわずかにオフセットされるようにわずかにオフセットしており、このことによって、プラスチック材料の挿入部４０の弾性変形のおかげで腕時計ケースに対して挿入部４０に力を入れて押して、自動的に挿入部４０とミドル部３の間の遊びをなくすことが義務的になる。
【００３３】
リンク４は、以下のようにケース１にマウントされる。
【００３４】
正確には、まず、リンク４が、ホーン６の間にてミドル部３に対向するように配置される。このために、バー６０のピボット６３が、挿入部４０の各ガイド溝４４内に配置される。
【００３５】
そして、オスコネクター５がメスコネクター２の入口に配置されるまで、リンク４の挿入部４０が押される。そして、ピボット６３が、ガイド溝の傾斜路４４０の端に、したがって、パーティション４６の近傍に、達する。
【００３６】
そして、オスコネクター５がメスコネクター２内に完全に挿入されるまで、リンク４の挿入部４０が力を入れて押される。その際には、ロック用溝４５内にてパーティション４６の裏をピボット６３が通るということも行われる。
【００３７】
そして、リンク４を解放することができ、リンク４は、バー６０とコネクターによって正確に適所に保持される。
【００３８】
ミドル部３からリンク４を分離するためには、図５に示すように、アクチュエートメンバー７をスロット溝４００内に挿入することで十分である。２つのブレード７０は、挿入部４０の下側に形成されたスロット溝４００を通ってロック用溝４５内に導かれる。各ブレード７０には、その下端にて、傾斜面７１がある。この傾斜面７１は、バー６が完全に圧縮されるまでピボット６３の丸まった端を漸次的に支持するようになる。
【００３９】
もちろん、本発明は、上記実施形態に制限されず、本特許出願に添付された請求の範囲によって定められる本発明の範囲から逸脱せずに、様々な改変や単純な変種を当業者が思い描くことができるであろう。特に、プラスチック材料製の腕時計バンドリンクに関連して説明したが、本発明は、金属、セラミックス、又は再び言及する複合材料のような別の硬質材料で作られたリンクに対しても正確に同じ方法で用いることができることを理解することができるであろう。
【符号の説明】
【００４０】
１  ケース
２  電気的メスコネクター
３  ミドル部
４  腕時計バンドリンク
５  電気的オスコネクター
６  ホーン
７  アクチュエートメンバー
４０  挿入部
４２  コンジット
４３  シール
４４  ガイド溝
４５  ロック用溝
４６  パーティション
６０  ばねバー
７０  ブレード
７１  傾斜面
４００  スロット溝
４４０  傾斜路
【図１】
2019023628.tif 000003
【図２】
2019023628.tif 000004
【図３】
2019023628.tif 000005
【図４】
2019023628.tif 000006
【図５】
2019023628.tif 000007
【外国語明細書】
2019023628000001.pdf